(57)【要約】【課題】データをダウンロードするためにネットワーク上のサイトへ接続する際に、事前に回線の混み具合を確認可能にする。【解決手段】携帯端末装置Ａ１００〜Ｄ１０３は、１０分毎に混み具合確認用サイト１４３にデータ要求のリクエストを発信し、混み具合確認用の所定サイズのデータをダウンロードする。このとき、ダウンロード開始時刻と完了時刻、及びダウンロードしたデータサイズを検出してスループット値を算出し、表示部に１０分毎のスループット値からなるスループット履歴を棒グラフで表示したり、スループット値が所定値、例えば３２ｋｂｐｓ以上であるか否かを表示ランプの緑色又は赤色点灯で表示する。【選択図】  図２
2004194070.tif 000002
【特許請求の範囲】
【請求項１】
ネットワークに接続して前記ネットワーク上に設けられる任意のサイトから提供されるデータを取得可能な携帯端末装置であって、
前記ネットワーク上の特定のサイトへ予め定めた所定時間毎に接続し、この特定のサイトから確認用の所定サイズのデータをダウンロードするネットワーク接続手段と、
前記ネットワーク接続手段によって前記データをダウンロードした際のスループット値を検出するスループット検出手段と、
前記スループット値の検出結果を前記所定時間毎のスループット履歴情報として表示する表示手段と、
を備えたことを特徴とする携帯端末装置。
【請求項２】
前記表示手段は、前記スループット検出手段により検出したスループット値が予め定めた所定値以上の場合に、通信経路の空き状態を示す所定の表示を行うことを特徴とする請求項１に記載の携帯端末装置。
【請求項３】
ネットワークに接続して前記ネットワーク上に設けられる任意のサイトから提供されるデータを取得可能な携帯端末装置であって、
前記ネットワーク上の特定のサイトへ予め定めた所定時間毎に接続し、この特定のサイトから確認用の所定サイズのデータをダウンロードするネットワーク接続手段と、
前記ネットワーク接続手段による前記サイトに対する接続要求から前記データのダウンロード完了までの接続時間を検出する接続時間検出手段と、
前記接続時間の検出結果を前記所定時間毎の接続時間履歴情報として表示する表示手段と、
を備えたことを特徴とする携帯端末装置。
【請求項４】
前記表示手段は、前記接続時間検出手段により検出した接続時間が予め定めた所定値以下の場合に、通信経路の空き状態を示す所定の表示を行うことを特徴とする請求項３に記載の携帯端末装置。
【発明の詳細な説明】
【０００１】
【発明の属する技術分野】
本発明は、インターネット等のネットワークに接続可能な携帯端末装置に関する。
【０００２】
【従来の技術】
近年、携帯電話装置等の携帯端末装置において、インターネット等のネットワークに接続して電子メールの送受信を行ったり、情報提供を行うサイトから所望のデータを取得できるようにしたものが普及しつつある。
【０００３】
この種の携帯端末装置では、ネットワーク上のサイトに接続してデータのダウンロードを行う際に、使用者が所定のキー操作を行ってデータ要求のリクエストを送信すると、表示部に例えば「接続中」等の状態表示がなされる。一方、データの要求リクエストを受信したサイトは、携帯端末装置に対してデータを転送する。このとき、携帯端末装置からサイトに至る通信回線が空いている場合は、データ転送において高いスループット値を確保でき、ダウンロードに要する時間が少なくて済む。
【０００４】
しかし、携帯端末装置とネットワークとを接続する移動通信網において、同じ無線基地局を介する通信が多数重なったり、ネットワーク上のトラフィックが増加すると、通信回線が混んだ状態となって低いスループット値しか確保できなくなる。この状態では、データのダウンロード完了までに非常に長い時間を要し、また、一定の時間までにダウンロードが完了しない場合、タイムアウトとなって携帯端末装置の表示部に例えば「接続できませんでした」等の状態表示がなされて、ダウンロードが拒否されてしまうことがある。
【０００５】
緊急を要しないデータのダウンロードの場合は、通信回線が空いている時間帯にサイトに接続してダウンロードを行えばよいが、従来の携帯端末装置は通信回線が空いているかどうかを知る手段を備えていないので、上記の問題に対応することはできなかった。
【０００６】
また、インターネット等のネットワーク管理端末において、ノード間の回線で受信するデータのサイズと受信時間を計測してスループット値を算出し、その結果を図形上の回線の太さや色で表現することにより、使用者にとって視覚的に分かりやすいネットワーク環境を表示する方法が提案されている（例えば、特許文献１参照）。
【０００７】
【特許文献１】
特開平１１−２９６４５４号公報（第２−３頁、図２−４）
【０００８】
【発明が解決しようとする課題】
しかしながら、上記の従来のネットワーク管理端末の例では、回線を接続してデータの受信を行ってから、受信データのサイズと受信時間を計測することで初めてスループットを確認できるものであり、接続前に回線の混み具合を知ることはできない。従って、上記の方法を携帯端末装置に適用した場合、もし通信回線が非常に混んでいる時にサイトへの接続を試みてしまうと、データのダウンロードに長時間を要したり、又はダウンロードを拒否されてしまう事態になることが予想され、サービス性が悪いという問題点がある。更に、この間の通信コストがかかってしまうという問題点もある。
【０００９】
本発明は、上記課題を解決するためになされたもので、その目的は、インターネット等のネットワークに接続可能な携帯端末装置において、データをダウンロードするためにネットワーク上のサイトへ接続する際に、事前に回線の混み具合を確認することが可能な携帯端末装置を提供することにある。
【００１０】
【課題を解決するための手段】
本発明に係る携帯端末装置は、ネットワークに接続して前記ネットワーク上に設けられる任意のサイトから提供されるデータを取得可能な携帯端末装置であって、前記ネットワーク上の特定のサイトへ予め定めた所定時間毎に接続し、この特定のサイトから確認用の所定サイズのデータをダウンロードするネットワーク接続手段と、前記ネットワーク接続手段によって前記データをダウンロードした際のスループット値を検出するスループット検出手段と、前記スループット値の検出結果を前記所定時間毎のスループット履歴情報として表示する表示手段と、を備えたことを特徴とする。
【００１１】
上記構成によれば、表示手段に表示されたスループット履歴情報を見ることによってサイトに接続する際の通信回線等の通信経路の混み具合を知ることができ、使用者は目的のサイトへ接続した場合のスループット値、あるいは当該時刻における混み具合に応じた接続可否などを容易に事前に判断することが可能となる。従って、常にスループットの高い状態でサイトへ接続し、短時間でデータをダウンロードすることが可能になる。
【００１２】
また、前記表示手段は、前記スループット検出手段により検出したスループット値が予め定めた所定値以上の場合に、通信経路の空き状態を示す所定の表示を行うことを特徴とする。
【００１３】
上記構成によれば、検出されたスループット値が大きく、サイトに接続する際の通信回線等の通信経路が空いた状態である場合に、使用者はそのことを所定の表示により一見して認識することが可能となる。
【００１４】
本発明に係る携帯端末装置は、ネットワークに接続して前記ネットワーク上に設けられる任意のサイトから提供されるデータを取得可能な携帯端末装置であって、前記ネットワーク上の特定のサイトへ予め定めた所定時間毎に接続し、この特定のサイトから確認用の所定サイズのデータをダウンロードするネットワーク接続手段と、前記ネットワーク接続手段による前記サイトに対する接続要求から前記データのダウンロード完了までの接続時間を検出する接続時間検出手段と、前記接続時間の検出結果を前記所定時間毎の接続時間履歴情報として表示する表示手段と、を備えたことを特徴とする。
【００１５】
上記構成によれば、表示手段に表示された接続時間履歴情報を見ることによってサイトに接続する際の通信回線等の通信経路の混み具合を知ることができ、使用者は目的のサイトへ接続した場合のダウンロードに要する接続時間、あるいは当該時刻における混み具合に応じた接続可否などを容易に事前に判断することが可能となる。従って、常にスループットの高い状態でサイトへ接続し、短時間でデータをダウンロードすることが可能になる。
【００１６】
また、前記表示手段は、前記接続時間検出手段により検出した接続時間が予め定めた所定値以下の場合に、通信経路の空き状態を示す所定の表示を行うことを特徴とする。
【００１７】
上記構成によれば、検出された接続時間が短く、サイトに接続する際の通信回線等の通信経路が空いた状態である場合に、使用者はそのことを所定の表示により一見して認識することが可能となる。
【００１８】
【発明の実施の形態】
以下、図面を参照して本発明の実施形態を説明する。
本実施形態では、携帯端末装置の一例としてインターネット等のネットワークに接続可能な携帯電話装置を用いた例を示す。
【００１９】
図１は本発明の実施形態に係る携帯端末装置の構成を示すブロック図、図２は本実施形態の携帯端末装置を使用する通信システムの構成図である。
【００２０】
本実施形態の携帯端末装置は、アンテナ１１、送受信部１２、制御部１３、記憶部１４、キー操作部１５、表示部１６、スピーカ１７及びマイクロホン１８を有して構成される。
【００２１】
アンテナ１１は、後述する無線基地局との間で、ネットワーク上のサイトに対するデータ要求のリクエスト、サイトから転送されるデータなどを含む無線信号を送受信する。また、送受信部１２は、送信データを符号化、変調してアンテナ１１に出力したり、逆にアンテナ１１で受信した受信データを復調、復号化するなど、送受信に関する信号処理を行う。
【００２２】
キー操作部１５はテンキーや機能キー等の操作キーを備え、所定のキー操作によりサイトに対するデータ要求のリクエストを発信する。また、表示部１６は液晶表示パネル等からなり、後述するスループット履歴や接続時間履歴、及び現在のスループットや接続時間等の状態を表示する。
【００２３】
制御部１３は、プロセッサ及び周辺回路からなり、記憶部１４に記憶された制御プログラムに従って装置各部の動作を制御する。また、記憶部１４は、フラッシュＲＯＭ等の半導体メモリから構成され、自装置の制御プログラムやサイトからダウンロードしたデータ等を記憶する。
【００２４】
図２は、上記のように構成された本実施形態の携帯端末装置を、ネットワーク上のサイトに接続するための通信システムの構成を示すもので、例えば、複数の携帯端末装置Ａ１００〜Ｄ１０３、無線基地局Ｐ１１０、Ｑ１１１、サーバ１２０、ネットワーク１３０、サイトａ１４０〜ｃ１４２、及び特定サイト（混み具合確認用サイト）１４３を有して構成される。
【００２５】
上記のように構成された通信システムにおいて、例えば、携帯端末装置Ａ１００からネットワーク１３０上のサイトａ１４０に対してデータ要求のリクエストを無線信号で送信すると、このデータ要求のリクエストは無線基地局Ｐ１１０を介してサーバ１２０に中継され、ネットワーク１３０上のサイトａ１４０に送られる。
【００２６】
データ要求のリクエストを受信したサイトａ１４０は、要求のあったデータをネットワーク１３０上のサーバ１２０に転送し、無線基地局Ｐ１１０を介して携帯端末装置Ａ１００に転送する。そして、すべてのデータが携帯端末装置Ａ１００に送られるとダウンロード完了となる。
【００２７】
データのダウンロードに要する時間は、転送するデータサイズ、サイト毎のサーバの能力、ネットワーク１３０及び無線基地局Ｐ１１０、Ｑ１１１におけるトラフィック等によって異なり、データサイズの大きいデータをサイトに要求した場合や、接続したサイトに至る通信回線のトラフィックが大きい場合は、ダウンロード完了までに長時間を要することとなる。
【００２８】
図２に示す混み具合確認用サイト１４３は、ネットワーク１３０及び無線基地局Ｐ１１０、Ｑ１１１における混み具合、すなわちデータ転送のスループット値を確認するためのデータを転送するサイトである。携帯端末装置Ａ１００〜Ｄ１０３からデータ要求のリクエストがあった場合に、この混み具合確認用サイト１４３より適度なデータサイズのデータを転送する。これによって、スループット値を求める際に、接続するサイトによってバラツキが生じたり、ダウンロード完了までに時間がかかってしまうことを防止する。なお、この混み具合確認用サイト１４３への接続は、サービス性向上のために課金対象から外すようにすることが望ましい。
【００２９】
以下、上述した本実施形態に係る携帯端末装置及び通信システムの動作を詳細に説明する。
【００３０】
（第１実施形態）
図３は第１実施形態に係る携帯端末装置における混み具合確認用サイトへの接続動作の手順を示すフローチャートである。ここでは、図１に示した構成に対応する携帯端末装置として、図２の通信システム中の携帯端末装置Ａ１００を例にして説明する。この携帯端末装置Ａ１００において、接続したサイトに至る通信回線（以下、接続回線と称する）の混み具合をスループット値を用いてモニタする際の動作を示す。各ステップにおけるそれぞれの動作は、記憶部１４に予め記憶された制御プログラムを制御部１３で実行することにより実現される。
【００３１】
第１実施形態は、携帯端末装置において、混み具合確認用サイト１４３への接続を１０分ごとに繰り返し行ってスループットを測定し、スループット履歴として表示部１６に表示すると共に、現在のスループット値が３２ｋｂｐｓ以上であるかどうかを判定し、表示ランプの点灯色により一見して確認できるようにしたものである。
【００３２】
まず、携帯端末装置Ａ１００は、図２の混み具合確認用サイト１４３に対してデータ要求のリクエストを送信する（ステップＳ３０１）。データ要求のリクエストは無線基地局Ｐ１１０で中継され、サーバ１２０を介してネットワーク１３０に送信され、混み具合確認用サイト１４３で受信される。データ要求のリクエストを受信した混み具合確認用サイト１４３は、予め用意した所定サイズのデータを送信する。このデータは、ネットワーク１３０、サーバ１２０、無線基地局Ｐ１１０を経て、無線信号で携帯端末装置Ａ１００に送られる。
【００３３】
携帯端末装置Ａ１００は、混み具合確認用サイト１４３から送られたデータをダウンロードして図１に示した記憶部１４に記憶する（ステップＳ３０２）。そして、ダウンロードの開始時刻と完了時刻、及びダウンロードしたデータサイズ（データ量）を検出する（ステップＳ３０３）。次いで、検出したダウンロード開始時刻、完了時刻からダウンロードに要した時間を算出し、検出したデータサイズをダウンロードに要した時間で除算することによってスループットの平均値を算出する（ステップＳ３０４）。
【００３４】
次いで、算出したスループット値を表示部１６に表示する。図４は表示部１６の表示画面における表示例を示すもので、現在と過去１０分毎のスループット値がスループット履歴４０１として棒グラフで表示され、さらに現在のスループット状態を表示ランプ４０２の点灯色で示すようになっている。スループット履歴４０１は、混み具合確認用サイト１４３からデータをダウンロードしてスループット値を算出する度に現在値を更新し、それに伴って過去１０分毎のスループット値が順次繰り下がるように値が管理される（以上ステップＳ３０５）。
【００３５】
また、算出した現在のスループット値が３２ｋｂｐｓ以上であるかどうかを判定する（ステップＳ３０６）。そして判定の結果、スループット値が３２ｋｂｐｓ以上の場合は、表示ランプ４０２を緑色で点灯させる（ステップＳ３０７）。、一方３２ｋｂｐｓ未満のときは、表示ランプ４０２を赤色に点灯させる（ステップＳ３０８）。
【００３６】
ここで、表示ランプ４０２の緑色点灯は、現在の接続回線が比較的空いている状態にあり、携帯端末装置Ａ１００からネットワーク上のサイトａ１４０〜ｃ１４２のいずれかにデータ要求のリクエストを行った場合、データのダウンロードを短時間で行うことができることを示すものである。一方、赤色点灯は、接続回線が混んでいて、データのダウンロードに長時間を要することが予想され、データ要求のリクエストを行うには、好ましくない状態または時間帯であることを示すものである。
【００３７】
続いて、１０分間待機し（ステップＳ３０９）、その後ステップＳ３０１に戻る。このようにして、ステップＳ３０１〜Ｓ３０９の工程を繰り返すことにより、スループット値を常時モニタすることができる。
【００３８】
以上説明した第１実施形態によれば、携帯端末装置は１０分毎にネットワーク１３０上の混み具合確認用サイト１４３に自動的に接続して所定サイズのデータをダウンロードし、その際のスループット値を算出してその結果を表示部１６にスループット履歴４０１及び表示ランプ４０２の点灯色によって表示する。これにより、携帯端末装置の使用者は、ネットワーク１３０上のサイトａ１４０〜ｃ１４２からデータをダウンロードするに際して、接続回線の状態を事前に知ることが可能となるので、データ要求のリクエストを発信してダウンロードするのに適した状態か否かを、視覚的に容易に確認することができる。また、混み具合確認用サイト１４３への接続に関する通信については課金しないことによって、ネットワークの混み具合確認のための通信コストを削減できる。
【００３９】
なお、本実施形態では、混み具合確認用サイト１４３に自動接続する時間間隔を１０分としたが、これに限るものではなく、この混み具合確認用の通信のためにネットワークのトラフィックが増大しない範囲において、時間間隔が短ければ精度が向上することは言うまでもない。また、現在のスループット状態を示す表示ランプ４０２の色を、スループット値の３２ｋｂｐｓを境にして切り換えるようにしたが、ネットワークの回線品質、接続するサイトの能力やダウンロードするデータ量、時間帯などに応じて適宜設定することが可能である。
【００４０】
（第２実施形態）
図５は第２実施形態に係る携帯端末装置における混み具合確認用サイトへの接続動作の手順を示すフローチャートである。ここでは、図１に示した構成に対応する携帯端末装置として、図２の通信システム中の携帯端末装置Ａ１００を例にして説明する。この携帯端末装置Ａ１００において、接続回線の混み具合を接続時間を用いてモニタする際の動作を示す。各ステップにおけるそれぞれの動作は、記憶部１４に予め記憶された制御プログラムを制御部１３で実行することにより実現される。
【００４１】
第２実施形態は、携帯端末装置において、第１実施形態のスループット値に代えて、接続時間により回線の混み具合を判定するものであり、混み具合確認用サイト１４３への接続を１０分ごとに繰り返し行って接続時間を測定し、接続時間履歴として表示部１６に表示すると共に、現在の接続時間が３秒以下であるかどうかを判定し、表示ランプの点灯色で確認できるようにしたものである。
【００４２】
まず、携帯端末装置Ａ１００は、図２の混み具合確認用サイト１４３に対してデータ要求のリクエストを送信する（ステップＳ５０１）。データ要求のリクエストは無線基地局Ｐ１１０で中継され、サーバ１２０を介してネットワーク１３０に送信され、混み具合確認用サイト１４３で受信される。データ要求のリクエストを受信した混み具合確認用サイト１４３は、予め用意した所定サイズのデータを送信する。このデータは、ネットワーク１３０、サーバ１２０、無線基地局Ｐ１１０を経て、無線信号で携帯端末装置Ａ１００に送られる。
【００４３】
携帯端末装置Ａ１００は、混み具合確認用サイト１４３から送られたデータをダウンロードして図１に示した記憶部１４に記憶する（ステップＳ５０２）。そして、データ要求のリクエスト送信からダウンロード完了に至る接続時間を検出する（ステップＳ５０３）。
【００４４】
次いで、検出した接続時間を表示部１６に表示する。図６は、表示部１６の表示画面における表示例を示すもので、現在と過去１０分毎の接続時間が接続時間履歴６０１として棒グラフで表示され、さらに現在の接続時間の状態を表示ランプ６０２の点灯色で示すようになっている。接続時間履歴６０１は、混み具合確認用サイト１４３からデータをダウンロードして接続時間を検出する度に現在値を更新し、それに伴って過去１０分毎の接続時間が順に繰り下がるように値が管理される（以上ステップＳ５０４）。
【００４５】
また、検出した現在の接続時間が３秒以下であるかどうかを判定する（ステップＳ５０５）。そして判定の結果、接続時間が３秒以下の場合は、表示ランプ６０２を緑色で点灯させる（ステップＳ５０６）。一方３秒を超えるときは、表示ランプ６０２を赤色で点灯させる（ステップＳ５０７）。
【００４６】
ここで、表示ランプ６０２の緑色点灯は、現在の接続回線が比較的空いている状態にあり、携帯端末装置Ａ１００からネットワーク上のサイトａ１４０〜ｃ１４２のいずれかにデータ要求のリクエストを行った場合、データのダウンロードを短時間で行うことができることを示すものである。一方、赤色点灯は、接続回線が混んでいて、データのダウンロードに長時間を要することが予想され、データ要求のリクエストを行うには、好ましくない状態または時間帯であることを示すものである。
【００４７】
続いて、１０分間待機し（ステップＳ５０８）、その後ステップＳ５０１に戻る。このようにして、ステップＳ５０１〜Ｓ５０８の工程を繰り返すことにより、接続時間を常時モニタすることができる。
【００４８】
以上説明した第２実施形態によれば、携帯端末装置は１０分毎にネットワーク１３０上の混み具合確認用サイト１４３に自動的に接続して所定サイズのデータをダウンロードし、その際の接続時間を検出してその結果を表示部１６に接続時間履歴６０１及び表示ランプ６０２の点灯色によって表示する。これにより、携帯端末装置の使用者は、ネットワーク１３０上のサイトａ１４０〜ｃ１４２からデータをダウンロードするに際して、接続回線の状態を事前に知ることが可能となるので、データ要求のリクエストを発信してダウンロードするのに適した状態か否かを、視覚的に容易に確認することができる。
【００４９】
なお、本実施形態では、混み具合確認用サイト２４３に自動接続する時間間隔を１０分としたが、これに限るものではなく、この混み具合確認用の通信のためにネットワークのトラフィックが増大しない範囲において、時間間隔が短ければ精度が向上することは言うまでもない。また、現在の接続時間の状態を示す表示ランプ４０２の色を、接続時間の３秒を境にして切り換えるようにしたが、ネットワークの回線品質、接続するサイトの能力やダウンロードするデータ量、時間帯などに応じて適宜設定することが可能である。
【００５０】
上述したように、本実施形態の携帯端末装置及び通信システムによれば、携帯端末装置において所定時間毎に特定サイトへ自動的にアクセスして所定サイズのデータをダウンロードし、このときのスループット値又は接続時間を検出して、その結果を表示部に履歴情報又は表示ランプで表示することにより、接続回線の混み具合を常時モニタし、視覚的に容易に確認することができる。従って、使用者はサイトから提供されるデータをダウンロードするに際して、目的のサイトへ接続した場合のスループット値やダウンロードに要する時間、あるいはネットワークの混み具合によっては接続することの可否などを事前に判断することが可能となる。
【００５１】
なお、本実施形態では、スループット値又は接続時間を検出するに際し、混み具合確認用サイト１４３からのデータを記憶部１４に記憶し、その記憶に要する時間を算出するようにしているが、データそのものは必ずしも記憶部１４に記憶する必要はなく、送受信部１２で受信されれば、その受信に要した時間から、スループット値又は接続時間を検出するようにしても良い。
【００５２】
また、本実施形態では、図４、図６に示すように、１０分毎にスループット値又は接続時間を検出し、それをそのまま過去３０分前のものまで一画面で表示するようにしているだけであるが、検出されたスループット値又は接続時間をそれぞれ検出された日時と共に保存しておき、保存されたスループット値又は接続時間から任意のタイミングで、任意の日時のスループット値又は接続時間を抽出し、表示するように構成しても良い。例えば、昨日の同時刻、１週間前の同時刻、更には、１ヶ月前の同時刻、１年前の同時刻などのスループット値又は接続時間をそれぞれ保存されたスループット値又は接続時間から抽出し表示するように構成した場合には、これらの表示されたスループット値又は接続時間より現時点でのスループット値又は接続時間を容易に予測することができるようになる。そして、予め期間を定めて各時刻の平均的なスループット値又は接続時間をそれぞれ算出し、それを表示するように構成しておけば、平均的なスループット値又は接続時間によっていつどのようなスループット値又は接続時間になるかをより容易に予測することができるようになる。
【００５３】
また、本実施形態では、１０分毎のデータ要求リクエストを四六時中実施するように構成しているが、タイマーなどを設け、任意に希望する時間帯のみ１０分毎にデータ要求リクエストを行うように構成しても良い。このように構成すれば、希望する時間帯のみデータ要求リクエストを行うようになり、ネットワークのトラフィック増大を抑制することができる。
【００５４】
このように、本発明は、上述した実施形態に限定されるものではなく、その要旨を逸脱しない範囲において種々の態様で実施し得る。例えば、携帯電話装置に限らず、移動体通信システムを用いてインターネット等に接続可能な携帯情報端末などにも本発明を適用することが可能である。
【００５５】
【発明の効果】
以上説明したように本発明によれば、インターネット等のネットワークに接続可能な携帯端末装置において、データをダウンロードするためにネットワーク上のサイトへ接続する際に、事前に回線の混み具合を確認することができる携帯端末装置を提供可能である。
【図面の簡単な説明】
【図１】本発明の実施形態に係る携帯端末装置の構成を示すブロック図
【図２】本実施形態の携帯端末装置を使用する通信システムの構成図
【図３】第１実施形態に係る携帯端末装置における混み具合確認用サイトへの接続動作の手順を示すフローチャート
【図４】第１実施形態に係る携帯端末装置の表示部における表示例を示す動作説明図
【図５】第２実施形態に係る携帯端末装置における混み具合確認用サイトへの接続動作の手順を示すフローチャート
【図６】第２実施形態に係る携帯端末装置の表示部における表示例を示す動作説明図
【符号の説明】
１２  送受信部
１３  制御部
１４  記憶部
１５  キー操作部
１６  表示部
１００〜１０３  携帯端末装置
１１０、１１１  無線基地局
１３０  ネットワーク
１４０〜１４２  サイト
１４３  混み具合確認用サイト
４０１  スループット履歴
４０２、６０２  表示ランプ
６０１  接続時間履歴
【図１】
2004194070.tif 000003
【図２】
2004194070.tif 000004
【図３】
2004194070.tif 000005
【図４】
2004194070.tif 000006
【図５】
2004194070.tif 000007
【図６】
2004194070.tif 000008